(57)【要約】【課題】  簡易な構成により浴室の天井部分に設置したタンク内の湯水を確実に排水できて、天井部分への設置に伴う不具合発生を防止し得る蒸気発生装置の排水構造を提供する。【解決手段】  熱交換器と湯循環手段がケース内に配置されて浴室の天井部分に設置される蒸気発生装置の排水構造であって、湯循環手段のタンクに排水配管を接続し、該排水配管を浴室の天井部分から壁パネルの外面に配置してその先端の排水口を浴室の防水パン上に位置させる。排水配管は、壁パネルと対応する部分が垂直線に対して左右方向に所定角度傾斜して配置されたり、少なくとも壁パネルと対向する部分の断面形状が扁平に形成される。【選択図】  図５
2006043164.tif 000002
【特許請求の範囲】
【請求項１】
加熱手段を備えると共に湯水が放散されることにより蒸気を発生させ得る熱交換器と、該熱交換器に放散された湯水をタンク内に回収して循環ポンプで再び熱交換器に放散させる湯循環手段とを備え、前記熱交換器と湯循環手段がケース内に配置されて浴室の天井部分に設置される蒸気発生装置の排水構造であって、
前記湯循環手段のタンクに排水配管を接続し、該排水配管を浴室の天井部分から壁パネルの外面に配置してその先端の排水口を浴室の防水パン上に位置させたことを特徴とする蒸気発生装置の排水構造。
【請求項２】
加熱手段を有して温風を発生させ得る第２の熱交換器を備え、該第２の熱交換器と前記熱交換器は、多数枚のフィンが加熱手段としての温水供給管で連結されることにより構成されると共に、前記第２の熱交換器が略水平状態で前記熱交換器が傾斜状態でケース内に配置されていることを特徴とする請求項１に記載の蒸気発生装置の排水構造。
【請求項３】
前記排水配管は、壁パネルと対応する部分が垂直線に対して壁パネルの左右方向に所定角度傾斜して配置されることを特徴とする請求項１または２に記載の蒸気発生装置の排水構造。
【請求項４】
前記排水配管を所定角度傾斜して配置するための角度確認部材を備えたことを特徴とする請求項３に記載の蒸気発生装置の排水構造。
【請求項５】
前記排水配管は、少なくとも壁パネルと対向する部分の断面形状が扁平に形成されることを特徴とする請求項１ないし４のいずれかに記載の蒸気発生装置の排水構造。
【請求項６】
前記排水配管は、湯循環手段の循環ポンプと熱交換器に湯水を放散させる湯噴出管との間の三方弁に接続され、該三方弁が排水側に切り換えられて循環ポンプが作動することによりタンク内の湯水が排水配管を介して排水されることを特徴とする請求項１ないし５のいずれかに記載の蒸気発生装置の排水構造。
【請求項７】
前記排水配管は、壁パネルと対応する部分及び又は先端の排水口に虫除け手段が設けられることを特徴とする請求項１ないし６のいずれかに記載の蒸気発生装置の排水構造。
【発明の詳細な説明】
【技術分野】
【０００１】
本発明は、例えばシステムバスルーム等の浴室の天井部分に設置されて浴室内に蒸気を発生させる蒸気発生装置の排水構造に関する。
【背景技術】
【０００２】
従来、浴室に設置される蒸気発生装置としては、例えば特許文献１に開示されている。この蒸気発生装置は、温水が循環供給される連結部材で連結された多数のフィンを有する熱交換器を、縦長の本体ケース内に縦方向に斜めの状態で配置し、この熱交換器のフィンに湯噴出管から所定温度の湯水を放散させることにより蒸気を発生させ、この蒸気を送風ファンの送風によって吹出口から浴室の洗い場上に吹き出すと共に、湯噴出管から放散された湯水をタンクに回収し、これを循環ポンプにより循環使用するようにしたものである。
【特許文献１】特開２００３−２３５９３０号公報
【発明の開示】
【発明が解決しようとする課題】
【０００３】
しかしながら、この蒸気発生装置においては、蒸気発生のために熱交換器に放散された湯水を湯循環手段により循環使用できて水の有効利用が図れるものの、装置の運転停止後の湯水の排水処理は、湯循環手段のタンクから排水配管を介して洗い場のカウンター内部の防水パン上に排水している。つまり、この蒸気発生装置の場合、洗い場のカウンター内部への設置を前提としているため、タンクからの湯水の排水に格別の方策を必要としておらず、このような装置を例えば浴室の天井部分に設置することは、排水時の異音発生やタンクからの水漏れ等の観点から現実的に困難である。
【０００４】
本発明は、このような事情に鑑みてなされたもので、その目的は、簡易な構成により浴室の天井部分に設置したタンク内の湯水を確実に排水できて、天井部分への設置に伴う不具合発生を防止し得る蒸気発生装置の排水構造を提供することにある。また、他の目的は、前記目的に加え、配管作業を容易に行い得る蒸気発生装置の排水構造を提供することにある。
【課題を解決するための手段】
【０００５】
かかる目的を達成すべく、本発明のうち請求項１に記載の発明は、加熱手段を備えると共に湯水が放散されることにより蒸気を発生させ得る熱交換器と、該熱交換器に放散された湯水をタンク内に回収して循環ポンプで再び熱交換器に放散させる湯循環手段とを備え、前記熱交換器と湯循環手段がケース内に配置されて浴室の天井部分に設置される蒸気発生装置の排水構造であって、前記湯循環手段のタンクに排水配管を接続し、該排水配管を浴室の天井部分から壁パネルの外面に配置してその先端の排水口を浴室の防水パン上に位置させたことを特徴とする。
【０００６】
また、請求項２に記載の発明は、加熱手段を有して温風を発生させ得る第２の熱交換器を備え、該第２の熱交換器と前記熱交換器は、多数枚のフィンが加熱手段としての温水供給管で連結されることにより構成されると共に、前記第２の熱交換器が略水平状態で前記熱交換器が傾斜状態でケース内に配置されていることを特徴とする。
【０００７】
そして、前記排水配管は、請求項３に記載の発明のように、壁パネルと対応する部分が垂直線に対して壁パネルの左右方向に所定角度傾斜して配置されることが好ましく、この場合、請求項４に記載の発明のように、排水配管を所定角度傾斜して配置するための角度確認部材を備えることが好ましい。
【０００８】
また、前記排水配管は、請求項５に記載の発明のように、少なくとも壁パネルと対向する部分の断面形状が扁平に形成されることが好ましく、また、請求項６に記載の発明のように、前記排水配管が、湯循環手段の循環ポンプと熱交換器に湯水を放散させる湯噴出管との間の三方弁に接続され、該三方弁が排水側に切り換えられて循環ポンプが作動することによりタンク内の湯水が排水配管を介して排水されることが好ましい。さらに、前記排水配管は、請求項７に記載の発明のように、壁パネルと対応する部分や先端の排水口に虫除け手段が設けられることが好ましい。
【発明の効果】
【０００９】
本発明の請求項１に記載の発明によれば、熱交換器と共にケース内に配置された湯循環手段のタンクに排水配管を接続し、この排水配管を浴室の天井部分から壁パネルの外面に配置してその先端の排水口を浴室の防水パン上に位置させるため、浴室の天井部分に配置されたタンク内の湯水を壁パネルの外側を通って浴室の防水パン上に排水して、防水パン上の湯水と同じ排水路で外部に確実に排水でき、例えばタンクからの湯水の溢れ等をなくして天井部分への設置に伴う不具合発生を防止することができる。
【００１０】
また、請求項２に記載の発明によれば、請求項１に記載の発明の効果に加え、加熱手段を有して温風を発生させ得る第２の熱交換器を備え、この第２の熱交換器が略水平状態で蒸気発生用の熱交換器が傾斜状態でケース内に配置されているため、例えば第２の熱交換器で熱交換された温風を蒸気発生に使用できる等、蒸気と温風の発生を効率的に行うことができると共に、装置の外形形状を傾斜状態の熱交換器の高さ寸法に対応した薄型に形成できて、浴室の天井部分に好適に設置することができる。
【００１１】
また、請求項３に記載の発明によれば、請求項１または２に記載の発明の効果に加え、排水配管の壁パネルと対応する部分が垂直線に対して壁パネルの左右方向に所定角度傾斜して配置されるため、タンク内の湯水を垂直方向ではなく所定角度傾斜させた状態で落下させることによって、湯水の落下（排水）流速を抑えることができて、排水時の湯水による天井部分等での「ゴボゴボ」等の異音発生を抑制することができる。
【００１２】
また、請求項４に記載の発明によれば、請求項３に記載の発明の効果に加え、例えば黄色と黒の縞模様が所定間隔で印刷された角度確認用テープ等を同時梱包するなどして、排水配管を所定角度傾斜して配置するための角度確認部材を備えているため、施工時に排水配管の角度出しが正確に行えて、配管作業を容易に行うことができる。
【００１３】
また、請求項５に記載の発明によれば、請求項１ないし４に記載の発明の効果に加え、排水配管の少なくとも壁パネルと対向する部分の断面形状が扁平に形成されるため、壁パネルと建築躯体との間の比較的狭い空間内に扁平な排水配管を簡単に通すことができて、配管作業を一層容易に行うことができる。
【００１４】
また、請求項６に記載の発明によれば、請求項１ないし５に記載の発明の効果に加え、排水配管が三方弁に接続され、この三方弁が排水側に切り換えられて循環ポンプが作動することで排水されるため、タンク内の湯水を循環か排水かのいずれかに切り換え設定できて、湯水の循環時に排水されてしまう等の装置の誤作動を確実に防止することができる。
【００１５】
さらに、請求項７に記載の発明によれば、請求項１ないし６に記載の発明の効果に加え、排水配管の壁パネルと対応する部分や先端の排水口に虫除け手段が設けられているため、壁パネルの外側や防水パン側等から排水路となる防水パン上や排水配管内への虫等の進入を防止できて、虫等による配管詰まりが防止される等、タンク内の湯水を浴室外部に確実に排水することができる。
【発明を実施するための最良の形態】
【００１６】
以下、本発明の実施の形態を図面に基づいて詳細に説明する。
図１〜図８は、本発明に係わる配管構造を適用した蒸気発生装置の一実施形態を示し、図１がその概略構成図、図２がその斜視図、図３が浴室への設置状態を示す斜視図、図４が蒸気発生装置の具体的構造を示す概念図、図５が排水配管の配管状態を示す断面図、図６がその要部側面図、図７が図５のＡ−Ａ線に沿った断面図、図８が図６のＢ部の拡大断面図である。
【００１７】
図１に示すように、蒸気発生装置１は、多数枚のフィン４ａが加熱手段としての温水供給管５ａで連結された第１の熱交換器（熱交換器）３ａと、同様に多数枚のフィン４ｂが加熱手段としての温水供給管５ｂで連結された第２の熱交換器３ｂと、水や湯（湯水という）を循環させて湯噴出管６から第１の熱交換器３６ａのフィン４ａ上に放散（吐出や噴出、噴射、吹付け、噴霧等も含む）させる湯循環手段７と、吸引口８と吹出口９との間に後述する所定の通風経路Ｒ１を形成する送風ファン１０と、後述する換気通路Ｒ２を形成する換気ファン１１等を備えている。
【００１８】
前記湯循環手段７は、第１の熱交換器３ａの下方に配置され該熱交換器３ａのフィン４ａに沿って流下した湯水を回収するバッファタンク１２と、このバッファタンク１２内に回収した湯水を汲み上げる循環ポンプ１３と、第１の熱交換器３ａフィン４ａ上部に所定の間隔を有して配置され循環ポンプ１３で汲み上げられた湯水をフィン４ａ上に放散させる前記湯噴出管６等を有している。
【００１９】
この湯循環手段７のバッファタンク（タンク）１２は、第１の熱交換器３ａの下方に位置する浅底部１２ａと、この浅底部１２ａに連続して設けられた深底部１２ｂとを有し、この浅底部１２ａと深底部１２ｂの上面開口部には蓋体１４が着脱可能に配置されている。この蓋体１４には、浅底部１２ａ側に例えばスリット状の回収孔１４ａが形成されると共に、深底部１２ｂ側にバッファタンク１２内の湯水の上限水位を検出する１個のフロートスイッチ１５と、前記循環ポンプ１３及びバッファタンク１２内の湯水の温度を検出する水温センサ１６等が組み付け配置されている。
【００２０】
また、バッファタンク１２には、その上面開口部に給水配管１８が接続され、その底壁に排水配管１９が接続されると共に、側壁上部と排水配管１９との間にはオーバーフロー管２１が接続されている。そして、このバッファタンク１２の外側には、該バッファタンク１２の底壁と側壁を取り囲むようにドレンパン２２が配置され、このドレンパン２２の底壁には、排水配管１９に接続されたドレンパン配管２３が接続されている。
【００２１】
なお、前記給水配管１８と排水配管１９の所定位置には給水電磁弁２４と排水電磁弁２６が設けられ、前記第１の熱交換器３ａと第２の熱交換器３ｂの温水供給管５ａ、５ｂには、給湯配管２０の往き配管２０ａと戻り配管２０ｂが接続され、往き配管２０ａには給湯電磁弁２５が接続されている。また、給湯配管２０の本体ケース２の外側端部には、循環機能付きの灯油ボイラーやガス給湯器等の給湯機２７が接続され、給水配管１８の外側端部には水道もしくは給湯機２７内の水道配管等が接続されている。
【００２２】
また、前記吸気口８内には、吸気される浴室内の空気温度を検出する吸気温センサ２８が配置され、前記第１の熱交換器３ａの例えば支持板４５（図４参照）や温水供給管５ａ外面には、当該熱交換器３ａの温度を検出する温度センサ２９が配置されている。さらに、前記吹出口９には、ルーバーモータ３０ａの回転で例えば２枚の羽根３０ｂ（図２参照）を回動させて吹出口９を開放させるルーバー３０が開閉可能に配設されている。
【００２３】
前記送風ファン１０は、例えばクロスフローファン、シロッコファン、ターボファン等によって形成され、その送風ファンモータ１０ａが本体ケース２内に配置された制御基板３１の制御信号により回転し、また、前記換気ファン１１は、例えばシロッコファンで形成され、その換気ファンモータ１１ａが前記制御基板３１の制御信号により回転するようになっている。
【００２４】
そして、これらの各部材が横方向に薄型の本体ケース２内に配置されることで、図２に示すように、蒸気発生装置１自体が扁平薄型形状に形成されている。この時、本体ケース２は、その下面開口部にグリル板３３が着脱可能に装着され、このグリル板３３には、前記吸気口８と吹出口９が設けられると共に表示器３４等が配設されている。また、図１に示すように、本体ケース２内には、各種ケーブル５３が接続された前記制御基板３１と受信・表示基板３２が配置されると共に、前述した各配管１８〜２０の一部や各電磁弁２４〜２６が配置されている。さらに、本体ケース２内の前記表示器３４が接続された受信・表示基板３２には防水赤外線の無線リモコン３６が接続され、前記制御基板３１には必要に応じて有線リモコン３５が接続されている。
【００２５】
この蒸気発生装置１は、例えば図３に示すようにして浴室３８に設置される。すなわち、その外形形状が扁平薄型形状の本体ケース２を、浴室３８の天井を形成するバスタブ３９上方の天井パネル４０に、例えば図２の二点鎖線で示すように、浴室３８上方の建築躯体４２に複数本の吊りボルト４３により吊り下げ設置し、本体ケース２のグリル板３３の吸気口８と吹出口９を浴室３８内に開口させる。
【００２６】
そして、この蒸気発生装置１の給水配管１８および給湯配管２０の往き配管２０ａ、戻り配管２０ｂを、例えば図示しないサヤ管に納めて天井パネル４０の上面（天井裏）に配置すると共に、排水配管１９を天井パネル４０の上面から浴室３８の壁パネル４１の外面を通してバスタブエプロン４４内の防水パン５０（図５参照）上に配置させる。この時、給水配管１８は、天井パネル４０の上面に位置する蒸気発生装置１側の端部を水平線に対して所定角度α傾斜させることにより、給水配管１８外面に付着する結露水が蒸気発生装置１内に導かれるように設定する。
【００２７】
また、前記排水配管１９は、図５〜図８に示すようにして配置される。すなわち、図５に示すように、排水配管１９は、略水平な天井部１９ａと略垂直な壁面部１９ｂ及び排水口部１９ｃとで形成され、天井部１９ａが蒸気発生装置１の本体ケース２の側板２ｃから水平方向に引き出されて天井パネル４０上に略水平状態で配置され、その端部がエルボ４６を介して壁パネル４１の外面側に配置された壁面部１９ｂに接続されている。そして、排水配管１９の壁面部１９ｂは、図３に示すように、垂直線に対して壁パネル４１の左右方向に所定角度β傾斜状態で配置され、この時、壁面部１９ｂの角度出しは、図６に示すように、例えば蒸気発生装置１の梱包に同梱された角度確認用テープ４７によって行われる。
【００２８】
すなわち、角度確認用テープ４７には、所定寸法に対応した多数の縞模様が形成されており、この角度確認用テープ４７を壁パネル４１の外面に貼付するかもしくは一時的に保持して、その多数の縞模様のうち、所定の模様位置に排水配管１９の壁面部１９ｂを位置させることで壁面部１９ｂが配置される。この場合、角度確認用テープ４７の貼付位置を示すマーク等を予め壁パネル４１に設けておくようにすれば、排水配管１９の施工が容易に行えることになる。なお、排水配管１９の壁面部１９ｂは、図７に示すように、断面形状が扁平に形成されて、その高さ寸法ｈ１が円形パイプより小さく設定され、壁パネル４１と建築躯体４２との間隔寸法Ｗが狭い場合であっても良好に納まると共に、剛性が向上することによって施工不良等も防ぐことができるようになっている。
【００２９】
また、排水配管１９の壁面部１９ｂの下端は、エルボ４８を介して壁パネル４１内側でバスタブ３９の外面側に配置された排水口部１９ｃに接続されている。この排水口部１９ｃは、壁パネル４１の下部に設けた配管孔４９に嵌挿されたエルボ４８に接続されて、その先端がバスタブ３９下部の防水パン５０上に位置、すなわち排水口が防水パン５０上に開口するようになっている。そして、この排水口部１９ｃが接続される壁パネル４１の配管孔４９部分には、例えばその外面側に虫除け手段としての虫除け網５１が配設されている。
【００３０】
この虫除け網５１は、図６及び図８に示すように、例えば正方形状に形成されてその外周部が、壁パネル４１の外面とエルボ４８や壁面部１９ｂの外周面に接着剤５２で固定されている。この虫除け網５１により、浴室３８の壁パネル４１の配管孔４９の内外、すなわち壁パネル４１の外側と建築躯体４２との間に形成された空間と、壁パネル４１の内側となる防水パン５０上方の空間とが遮蔽された状態となり、虫等の防水パン５０上への進入が阻止されることになる。
【００３１】
この虫除け網５１の配置位置は、この例に限定されず、例えば図８の二点鎖線で示すように、壁パネル４１の配管孔４９の内側や排水口５８に配置しても良く、要は虫等の防水パン５０上や排水配管１９内への進入を阻止し得る適宜の位置に配置することができる。また、虫除け網５１を、配管孔４９以外の例えば本体ケース２の側板２ｃの排水配管１９が挿通される図示しない配管孔部分に配置し、虫等の本体ケース２内の進入を阻止して排水配管１９等の配管詰まりを防止するようにしても良い。
【００３２】
なお、図３に示すように、蒸気発生装置１から引き出される電源用やリモコン用あるいはいわゆるインテリジェント通信用等の前記各種ケーブル５３は、天井パネル４０の上面側に配線され、また、換気ファン１１の換気ダクト１１ｂも天井パネル４０の上面側に配置されている。
【００３３】
図４は、前記蒸気発生装置１の具体的構造の概念図を示している。この図に示すように、前記第２の熱交換器３ｂは、内部に内外の隔壁２ａ、２ｂを有する本体ケース２の隔壁２ａ内で例えばグリル板３３側下部に水平状態で配置され、この第２の熱交換器３ｂの左端側上方に第１の熱交換器３ａが垂直方向に対して所定角度γ傾斜した状態で配置されている。また、第１の熱交換器３ａの下方には、前記バッファタンク１２とドレンパン２２が配置されると共に、第１の熱交換器３ａの下方左側方には、前記送風ファン１０が配置されている。
【００３４】
そして、送風ファン１０下方のグリル板３３には前記ルーバー３０を有する吹出口９が設けられ、第２の熱交換器３ｂ下方のグリル板３０には前記吸気口８が設けられている。これにより、送風ファン１０が回転した際に、本体ケース２内に図の二点鎖線で示すように、吸気口８→第２の熱交換器３ｂ→第１の熱交換器３ａ→送風ファン１０→吹出口９に連通する通風経路Ｒ１が形成されている。また、通風経路Ｒ１が形成される本体ケース２内には、吸気口８と換気ファン１１の換気ダクト１１ｂとを連通する換気通路Ｒ２も形成されている。なお、グリル板３０の吸気口８や吹出口９の内側には、必要に応じて図示しないフィルター等が着脱可能に配設される。
【００３５】
また、傾斜状態で配置された第１の熱交換器３ａの上方には、所定の間隔を有して湯噴出管６が配置されると共に、両熱交換器３ａ、３ｂの温水供給管５ａ、５ｂの両端部が、図１に示すように、前記給湯配管２０の往き配管２０ａと戻り配管２０ｂにそれぞれ接続されることにより、２つの温水供給管５ａ、５ｂが並列接続されている。そして、傾斜状態で配置された第１の熱交換器３ａが主に蒸気発生用として使用され、水平状態で配置された第２の熱交換器３ｂが主に温風発生用として使用されるようになっている。
【００３６】
なお、本体ケース２内に配置される第１の熱交換器３ａと第２の熱交換器３ｂは、左右の一対の支持板４５、この支持板４５間に所定ピッチで並設された多数枚の薄板からなるフィン４ａ、４ｂと、このフィン４ａ、４ｂと左右の支持板４５間に横方向の蛇行状に配置されてフィン４ａ、４ｂや支持板４５を連結する加熱手段としての温水供給管５ａ、５ｂ等を有して、その基本構造が略同一に形成されるが、他の適宜の構造の熱交換器３ａ、３ｂの使用や両熱交換器３ａ、３ｂの形態を異ならせること等も勿論可能である。
【００３７】
また、このように構成された蒸気発生装置１は、前記制御基板３１の制御により「乾燥」「ミスト暖房」「ドライ暖房」「換気」の４つの運転モードで運転可能であり、各運転モード時において、循環ポンプ１３、送風ファンモータ１０ａ、ルーバーモータ３０ａ及び換気ファンモータ１１ａが所定の動作（作動もしくは停止）をするように設定されている。
【００３８】
次に、このように構成された蒸気発生装置１の動作を、運転モードが湯循環手段７を作動させて行う「ミスト暖房」運転を例にして説明する。先ず、蒸気発生装置１の例えば無線リモコン３６の図示しないミスト暖房運転スイッチがオン操作されると、給水配管１８からバッファタンク１２内に水が供給されて、これが循環ポンプ１３の作動で湯循環手段７を循環する。また、湯循環手段７内を水が循環した状態で、給湯配管２０の行き配管２０ａと戻り配管２０ｂを介して第１の熱交換器３ａと第２の熱交換器３ｂの温水供給管５ａ、５ｂに給湯機２７から所定温度（例えば８０℃以上）の温水をそれぞれ循環供給させる。
【００３９】
この温水の循環供給で各熱交換器３ａ、３ｂのフィン４ａ、４ｂが所定温度までそれぞれ加温されると共に、送風ファンモータ１０ａの回転により、吸気口８から本体ケース２内に吸い込まれた空気が第２の熱交換器３ｂで加温されて温風となり、この温風が通風経路Ｒ１を流れて第１の熱交換器３ａのフィン４ａ間に供給される。そして、バッファタンク１２内に供給された水が第１の熱交換器３ａで加温されて所定温度の湯となり、この湯が湯噴出管６から第１の熱交換器３ａのフィン４ａ上に放散されると、第２の熱交換器３ｂから通風経路Ｒ１を介して第１の熱交換器３ａのフィン４ａ間に供給されている空気との間に圧力差が生じて放散される湯の一部が蒸気となり、この蒸気が通風経路Ｒ１を流れて吹出口９から浴室３８内に吹き出されることになる。
【００４０】
この時、本体ケース２内に２つの熱交換器３ａ、３ｂが配置されると共に、両熱交換器３ａ、３ｂを結ぶ通風経路Ｒ１が第２の熱交換器３ｂから第１の熱交換器３ａに流れる状態に設定されていることから、第１の熱交換器３ａに第２の熱交換器３ｂで熱交換された高温の温風が供給されて第１の熱交換器３ａのフィン４ａ等が加熱されて、第１の熱交換器３ａにおける蒸気の発生が促進される。その結果、第１の熱交換器３ａにおける放散された湯とフィン４ａとの接触時間を従来より例えば短くできて、第１の熱交換器３ａ自体を小型に形成してその高さ寸法を低くしても十分な量の蒸気を発生できることになる。
【００４１】
そして、所定時間のミスト暖房運転が行われたり前記ミスト暖房運転スイッチがオフされると、制御基板３１の制御信号により停止処理が行われる。この停止処理は、給湯機２７の運転を停止させ、バッファタンク１２内の湯水の温度を水温センサ１６で検出して、その検出温度が制御基板３１のマイコン４０に予め記憶してある排水基準温度以下となった場合に、排水電磁弁２５を開きバッファタンク１２内の湯水を排水配管１９を介して浴室３８内の防水パン５０上に排水することによって行われる。
【００４２】
この時、バッファタンク１２内の湯水は、排水配管１８の天井部１９ａを水平方向に流れて壁面部１９ｂを下方に流下して排水口部１９ｃから防水パン５０上に排水されるが、排水配管１９の壁面部１９ｂが垂直線に対して壁パネル４１の左右幅方向に角度β傾斜していることから、水平部１９ａを流れた湯水がエルボ４６から壁面部１９ｂを垂直方向ではなく角度β傾斜させた状態で落下するため、壁面部１９ｂの角度βに応じて流速が抑えられ、湯水の流下時に発生し易い「ゴボゴボ」といった異音の発生が抑制されることになる。
【００４３】
そして、この壁面部１９ｂを流速が抑えられた状態で落下する湯水は、エルボ４８及び排水口部１９ｃを介して壁パネル４１の内側に入り、その排水口から防水パン５０上に排水され、防水パン５０に設けられた排水装置５４及び排水配管５５（図５参照）から、バスタブ３９内の湯水と同一の排水路で浴室３８の外部に排水されることになる。この防水パン５０を介した排水時に、壁パネル４１の配管孔４９の内外や排水口５８が虫除け網５１で遮蔽されていることから、壁パネル４１の外側に屋外から進入した虫等が防水パン５０上や排水配管１９内等に進入することがなくなり、配管詰まりを起こすこと等が確実に防止されることになる。
【００４４】
このように、上記実施形態の蒸気発生装置１にあっては、第１の熱交換器３ａや第２の熱交換器３ｂと共に本体ケース２内に配置された湯循環手段７のバッファタンク１２に排水配管１９を接続し、この排水配管１９を浴室３８の天井パネル４０から壁パネル４１の外面に配置してその先端の排水口部１９ｃを防水パン５０上に開口させているため、浴室３８の天井パネル４０上に配置されたバッファタンク１２内の湯水を、壁パネル４１の外側を通して防水パン５０上に排水し、該防水パン５０上のバスタブ３９で使用した湯水と同じ排水路で外部に確実に排水することができる。
【００４５】
また、排水配管１９の壁パネル４１と対応する壁面部１９ｂが垂直線に対して壁パネル４１の左右幅方向に所定角度β傾斜して配置されているため、垂直方向ではなく所定角度β傾斜させた状態で落下するため、壁面部１９ｂを流れる湯水の流速を抑えることができて、湯水による「ゴボゴボ」等の異音発生を抑制することができる。また、壁パネル４１の配管孔４９や排水口５８部分に虫除け網５１が設けられているため、虫等の防水パン５０上や排水配管１９内への進入を確実に阻止することができる。
【００４６】
また、バッファタンク１２の外側にドレンパン２２が配置されているため、排水路や給水配管１９の異常で万一バッファタンク１２から湯水が溢れた場合であっても、この湯水をドレンパン２２に回収してドレンパン配管２３を介して排水することができ、湯水の浴室３８内への溢れ等を確実に防止することができる。これらにより、バッファタンク１２が内蔵された本体ケース２を天井パネル４０上に設置した場合であっても、排水による異音発生やバッファタンク１２からの湯水の溢れ、あるいは排水路の詰まり等の不具合発生を防止できて、蒸気発生装置１を浴室３８の天井パネル４０上に好適に設置することが可能となる。
【００４７】
さらに、排水配管１９の壁面部１９ｂが角度確認用テープ４７によって壁パネル４１に所定角度β傾斜して配置されるため、例えば黄色と黒の縞模様が所定間隔で印刷された角度確認用テープ４７を蒸気発生装置１あるいはその配管材と同時梱包して出荷することで、施工現場において排水配管１９の角度出しを正確に行うことができて、配管作業を容易に行うことができる。また、排水配管１９の少なくとも壁パネル４１と対向する壁面部１９ｂとして、断面扁平の排水管が使用されるため、壁パネル４１と建築躯体４２との間の比較的狭い空間内に高さ寸法ｈの小さい配管を簡単に通すこと等ができて、配管作業を一層容易に行うことができる。
【００４８】
また、本体ケース２内に湯噴出管６を備えた蒸気発生用の第１の熱交換器３ａと湯噴出管６を備えない温風発生用の第２の熱交換器３ｂを別体で配置し、送風ファン１０による通風経路Ｒ１が第２の熱交換器３ｂで熱交換された温風を第１の熱交換器３ａに供給するように設定しているため、第１の熱交換器３ａによる蒸気発生時に、第２の熱交換器３ｂで熱交換された温風を第１の熱交換器３ａのフィン４ａ間に供給して第１の熱交換器３ａを加熱することができる。
【００４９】
その結果、第１の熱交換器３ａにおいて、温水供給管５ａ自体への給湯機２７からの温水の循環供給と第２の熱交換器３ｂからの温風とでフィン４ａを効率的に加熱することができて、フィン４ａ間を流れる湯水を従来では得られない短時間で蒸気発生に適した高温の湯水とすることができ、第１の熱交換器３ａによる蒸気発生を促進させることができたり、両熱交換器３ａ、３ｂの使用により温風を短時間に発生させることができる等、蒸気発生装置１における蒸気や温風の発生効率を十分に高めることが可能となる。
【００５０】
また同時に、蒸気発生用と温風発生用の両熱交換器３ａ、３ｂが、その効率を向上させた状態で扁平薄型の本体ケース２内に配置されているため、放散された湯水が流下する傾斜状態の第１の熱交換器３ａの高さ寸法を小さくして、蒸気発生装置１の外形形状を小型に形成でき、例えばシステムバスルーム等の浴室３８の天井パネル４０上に大きなスペースを必要とすることなく、蒸気発生装置１を天井部分に簡単かつコンパクトに設置することができる。
【００５１】
また、前記蒸気発生装置１においては、次のような付随的な作用効果を奏することができる。すなわち、第１の熱交換器３ａの下方にフィン４ａに沿って流下した湯水を回収するバッファタンク１２が設けられ、このバッファタンク１２内の湯水が循環ポンプ１３により第１の熱交換器３ａの湯噴出管６に再び供給、すなわち湯水が湯循環手段７で循環使用されるため、蒸気発生に使用した湯水を再利用することができて、水の有効利用を図ることができ、省エネ効果に優れた蒸気発生装置１を提供することが可能となる。
【００５２】
また、本体ケース２内に第１の熱交換器３ａと第２の熱交換器３ｂが配置されると共に、送風ファン１０、循環ポンプ１３、換気ファン１１及び各種電磁弁２４〜２６が配置されて、これらが制御基板３１からの制御信号で所定に動作して４つの運転モードに設定できるため、１台の蒸気発生装置１で、例えば乾いた温風での衣類乾燥（乾燥運転時）、湿った温風での浴室暖房（ミスト暖房運転時）、乾いた温風での浴室暖房（ドライ暖房運転時）、及び浴室内換気（換気運転時）を行うことができて、蒸気発生装置１の使い勝手等を向上させることができる。
【００５３】
図９は、本発明に関わる配水構造を適用した蒸気発生装置の他の実施形態を示す概略構成図である。以下、上記実施形態と同一部位には同一符号を付して説明する。この実施形態の特徴は、循環ポンプ１３と湯噴出管６を接続する循環配管５６の途中に三方弁５７を接続し、この三方弁５７の一方の出口を湯噴出管６に接続し、他方の出口を排水配管１９に接続した点にある。そして、三方弁５７を制御基板３１の制御信号で切り換え可能に設定し、循環ポンプ１３が作動した場合に、汲み上げた湯水が湯噴出管６か排水配管１９のいずれかに供給されるようになっている。
【００５４】
この実施形態においても、バッファタンク１２内の湯水を循環ポンプ１３で汲み上げて排水できて、上記実施形態と同様の作用効果が得られる他に、バッファタンク１２内の湯水を循環ポンプ１３の作動で汲み上げ排水できて、バッファタンク１２の底壁に設けられる排水口の詰まり等による不具合発生を防止できると共に、三方弁５７で循環か排水かを確実に切り換え設定できて、例えば湯水の循環時に排水されてしまう等の蒸気発生装置１の誤作動による不具合発生も防止でき、蒸気発生装置１を浴室３８の天井パネル４０上に一層好適に設置できる等の作用効果を奏することができる。
【００５５】
なお、上記実施形態においては、本体ケース２内に一つの通風経路Ｒ１を設けた場合について説明したが、本発明はこれに限定されず、例えば本体ケース２内に第１の熱交換器３ａを傾斜状態で第２の熱交換器３ｂを水平状態で配置し、第２の熱交換器３ｂの右側方に送風ファン１０を配置すると共に、グリル板４０の送風ファン１０下方に吹出口９を設け、グリル板４０の第１の熱交換器３ａと第２の熱交換器３ｂの下部に一対の吸気口８を設けて２つの通風経路を設ける構成としても良い。
【００５６】
また、上記実施形態においては、本体ケース２内に第１の熱交換器３ａと第２の熱交換器３ｂを１台ずつ配置したが、例えば各熱交換器３ａ、３ｂを複数台配置する構成としても良い。さらに、上記実施形態においては、蒸気発生装置１を天井パネル４０上に設置したが、例えば天井パネル４０と壁パネル４１のコーナ部分（このコーナ部分と天井パネル４０を天井部分という）に設置しても良い。
【００５７】
また、上記実施形態においては、換気ファン１１を本体ケース２内に一体的に配置したが、別体で配置しても良いし、本体ケース２の形状、バッファタンク１２の全体形状、グリル板３３の吸気口８や吹出口９の位置や大きさ等の形状、虫除け手段の構成、各種センサ等の配置位置、各熱交換器３ａ、３ｂ自体の形態等も一例であって、本発明に係わる各発明の要旨を逸脱しない範囲において適宜の構成を採用することができる。
【産業上の利用可能性】
【００５８】
本発明は、システムバスルーム等の浴室に限らず、例えばサウナルームやシャワールーム等の蒸気発生装置にも適用できる。
【図面の簡単な説明】
【００５９】
【図１】本発明に係わる排水構造を適用した蒸気発生装置の一実施形態を示す概略構成図
【図２】同その斜視図
【図３】同浴室への設置状態を示す斜視図
【図４】同その具体的構造を示す概念図
【図５】同排水配管の配管状態を示す断面図
【図６】同その要部側面図
【図７】同図５のＡ−Ａ線に沿った断面図
【図８】同図６のＢ部の拡大断面図
【図９】本発明の他の実施形態を示す概略構成図
【符号の説明】
【００６０】
１・・・蒸気発生装置、２・・・本体ケース、３ａ・・・第１の熱交換器、３ｂ・・・第２の熱交換器、４ａ、４ｂ・・・フィン、５ａ、５ｂ・・・温水供給管、６・・・湯噴出管、７・・・湯循環手段、８・・・吸気口、９・・・吹出口、１０・・・送風ファン、１１・・・換気ファン、１２・・・バッファタンク、１３・・・循環ポンプ、１８・・・給水配管、１９・・・排水配管、１９ａ・・・天井部、１９ｂ・・・壁面部、１９ｃ・・・排水口部、２０・・・給湯配管、２２・・・ドレンパン、２６・・・排水電磁弁、３１・・・制御基板、３８・・・浴室、４０・・・天井パネル、４１・・・壁パネル、４７・・・角度確認用テープ、５０・・・防水パン、５１・・・虫除け網、５４・・・排水装置、５７・・・三方弁、５８・・・排水口。
【図１】
2006043164.tif 000003
【図２】
2006043164.tif 000004
【図３】
2006043164.tif 000005
【図４】
2006043164.tif 000006
【図５】
2006043164.tif 000007
【図６】
2006043164.tif 000008
【図７】
2006043164.tif 000009
【図８】
2006043164.tif 000010
【図９】
2006043164.tif 000011